(57)【要約】【課題】一般の住宅でも置き場所に困ることのない適当なサイズの家庭用の植物栽培装置を提供する。【解決手段】ペルチェ素子２９への通電が制御されて、熱交換室１１内の空気が所定温度となる。そして、吸気ファン装置３３が駆動することにより、熱交換室１１内の空気が吸引され、この空気は送気管３１を通り、穴３１ａから空間２３、２２、２１へ送られる。これにより栽培室１２内の温度がハーブの生育に適切な値となるように保たれる。また、光源体２７から照射される光により、ハーブＰは光合成を行い、生育する。植物保持体としてのロックウール３７によってハーブＰが保持されると共に、ロックウール３７に養液が含浸しているので、純粋な水耕栽培と比べて装置を簡易なものとできる。従って、一般の住宅でも置き場所に困ることのない適当なサイズにできる。【選択図】        図１
2012147730.tif 000002
【特許請求の範囲】
【請求項１】
箱状の本体と、前記本体に内部に設けられ多段に区分けされた複数の区分け空間から成る栽培室と、前記本体の前面に形成された開口と、前記本体に設けられ前記開口を閉鎖する状態と開放する状態に動作する開閉扉と、前記本体の内部の栽培室の複数の空間のそれぞれに備えられる容器と、前記容器に収容され植物を植えることができ、且つ養液が含浸可能な植物保持体と、前記栽培室に備えられた人工光源と、前記栽培室の温度を調整する温度調整手段とを備えることを特徴とする家庭用の植物栽培装置。
【請求項２】
請求項１に記載した家庭用の植物栽培装置において、温度調整手段は本体内部に栽培室とは別に設けられた熱交換室と、前記熱交換室内の空気を冷却または加温する冷却・加温手段と、前記熱交換室と前記栽培室との間で空気を還流させる空気還流手段とから成ることを特徴とする家庭用の植物栽培装置。
【請求項３】
請求項２に記載した家庭用の植物栽培装置において、空気還流手段は熱交換室と複数の区分け空間それぞれとを連通させる送気管と、熱交換室内の空気を前記送気管へ送るファン装置と、前記複数の区分け空間と前記熱交換室とを連通させる空気帰還路とから成ることを特徴とする家庭用の植物栽培装置。
【請求項４】
請求項２または３に記載した家庭用の植物栽培装置において、冷却・加温手段は熱交換室に備えられたペルチェ素子によって構成されていることを特徴とする家庭用の植物栽培装置。
【請求項５】
請求項１から４のいずれかに記載した家庭用の植物栽培装置において、植物保持体は人工土壌またはロックウールであることを特徴とする家庭用の植物栽培装置。
【発明の詳細な説明】
【技術分野】
【０００１】
本発明は家庭用の植物栽培装置に係り、特に一般の住宅に備えることができるサイズの家庭用の植物栽培装置に関するものである。
【背景技術】
【０００２】
近年、家庭で野菜等の種々の植物を栽培することが盛んに行われているが、住宅事情により家庭菜園をもつことができない場合もあり、また植物の種類によっては温度管理が必要で、ベランダ等の屋外では栽培が難しいものも少なくない。
そこで、特許文献１に記載された家庭用の植物栽培装置がある。この家庭用の植物栽培装置は水耕栽培を行うための養液を循環させるための装置や、冷却ユニット、栽培植物の成長に応じて上下に移動できる人工光源、冷却ユニット、水耕栽培を行うための装置等を備えており、全体として直方体形状を為している。そして、この家庭用の植物栽培装置のサイズは、幅９４０ｍｍ×奥行き５００ｍｍ×高さ２１００ｍｍ程度である。
【先行技術文献】
【特許文献】
【０００３】
【特許文献１】特開２０１０−１５４７９１
【発明の概要】
【発明が解決しようとする課題】
【０００４】
しかしながら、上記従来の家庭用の植物栽培装置は相当に大きく、一般の住宅では置き場所を確保するのは難しいという問題がある。
また、冷却ユニットだけを装備しているため、植物を加温したい場合には対応することができず、これに対処するためには更に加温ユニットを備える必要があり、上記した以上に大型化してしまうことになる。
本発明は上記従来の問題点に着目して為されたものであり、一般の住宅でも置き場所に困ることのない適当なサイズの家庭用の植物栽培装置の提供を、その目的とする。
【課題を解決するための手段】
【０００５】
本発明は上記課題を解決するためになされたものであり、請求項１の発明は、箱状の本体と、前記本体に内部に設けられ多段に区分けされた複数の区分け空間から成る栽培室と、前記本体の前面に形成された開口と、前記本体に設けられ前記開口を閉鎖する状態と開放する状態に動作する開閉扉と、前記本体の内部の栽培室の複数の空間のそれぞれに備えられる容器と、前記容器に収容され植物を植えることができ、且つ養液が含浸可能な植物保持体と、前記栽培室に備えられた人工光源と、前記栽培室の温度を調整する温度調整手段とを備えることを特徴とする家庭用の植物栽培装置である。
【０００６】
請求項２の発明は、請求項１に記載した家庭用の植物栽培装置において、温度調整手段は本体内部に栽培室とは別に設けられた熱交換室と、前記熱交換室内の空気を冷却または加温する冷却・加温手段と、前記熱交換室と前記栽培室との間で空気を還流させる空気還流手段とから成ることを特徴とする家庭用の植物栽培装置である。
【０００７】
請求項３の発明は、請求項２に記載した家庭用の植物栽培装置において、空気還流手段は熱交換室と複数の区分け空間それぞれとを連通させる送気管と、熱交換室内の空気を前記送気管へ送るファン装置と、前記複数の区分け空間と前記熱交換室とを連通させる空気帰還路とから成ることを特徴とする家庭用の植物栽培装置である。
【０００８】
請求項４の発明は、請求項２または３に記載した家庭用の植物栽培装置において、冷却・加温手段は熱交換室に備えられたペルチェ素子によって構成されていることを特徴とする家庭用の植物栽培装置である。
【０００９】
請求項５の発明は、請求項１から４のいずれかに記載した家庭用の植物栽培装置において、植物保持体は人工土壌またはロックウールであることを特徴とする家庭用の植物栽培装置である。
【発明の効果】
【００１０】
本発明の家庭用の植物栽培装置は、一般の住宅でも置き場所に困ることのない適当なサイズとすることが可能となる。
【図面の簡単な説明】
【００１１】
【図１】本発明の実施の形態に係る家庭用の植物栽培装置の斜視図である。
【図２】図１のＡ−Ａ断面図である。
【図３】図１のＢ−Ｂ断面図である。
【図４】図１の家庭用の植物栽培装置の内部構造を説明するための斜視図である。
【図５】図１のＣ−Ｃ断面図である。
【発明を実施するための形態】
【００１２】
本発明の実施の形態に係る家庭用の植物栽培装置１を図面にしたがって説明する。
符号３は箱状の本体を示し、この本体３は底板４、天板５、左右の側板７、８及び背板９を有しており、また内部に仕切り板１０が設けられている。本体３のサイズは、幅７００ｍｍ×奥行き４５０ｍｍ×高さ１１００ｍｍ程度である。
仕切り板１０の左端部のほぼ中央には矩形の穴１０ａが形成され、また右奥には三角形の穴１０ｂが形成されている。
【００１３】
仕切り板１０と天板５との間に熱交換室１１が設けられており、底板４と仕切り板１０との間に栽培室１２が設けられている。熱交換室１１は前板１６によって閉鎖されている。
栽培室１２の左側壁（左側板７の内面）には支持部１３、１４が固定されており、支持部１３と支持部１４は前後方向へ間隔を開けて備えられている。また、栽培室１２の右側壁（右側板８の内面）には支持部１５が固定されており、支持部１３、１４と支持部１５は互いに対向して、同じ高さ位置になるように配置されている。支持部１３、１４、１５は二組設けられ、上下に間隔を開けて配置されている。
【００１４】
符号１７、１９は載置板を示し、この載置板１７、１９はほぼ長方形で、栽培室１２の幅寸法と奥行寸法よりも僅かに小さい幅寸法と奥行寸法に設定されている。載置板１７、１９の左側端部の中央には切り欠き２０が形成され、また右奥の角部が除去された形状となっている（図４参照）。
【００１５】
載置板１７、１９は二組の支持部１３、１４、１５にそれぞれ設置されて栽培室１２に備えられており、これにより図２、図３に示すように、栽培室１２の内部は３つの空間２１、２２、２３に区分けされている。すなわち、本体３の底板４の上面と載置板１７の下面との間の空間２１が形成され、載置板１７の上面と載置板１９の下面との間に空間２２が形成され、更に載置板１９の上面と本体３の仕切り板１０の下面との間の空間２３が形成されている。このように栽培室１２は本体３の内部に設けられ、多段に区分けされた空間２１、２２、２３から成る。
【００１６】
載置板１７、１９を支持部１３、１４、１５に設置した状態で、載置板１７、１９の左側端部の中央には切り欠き２０が形成され、この切り欠き２０は支持部１３と支持部１４との間に対向している。従って、図４に示すように栽培室１２の左側壁（左側板７の内面）と載置板１７、１９との間には、切り欠き２０によって構成される穴が形成される。また、載置板１７、１９の右奥の角部が除去された形状となっているので、載置板１７、１９と栽培室１２の後壁（背板９側の内面）、右側壁（右側板８）との間に三角形の穴２５が形成される。
切り欠き２０は仕切り板１０の矩形の穴１０ａに対向し、三角形の穴２５は仕切り板１０の三角形の穴１０ｂに対向している。
載置板１７、１９の切り欠き２０、仕切り板１０の矩形の穴１０ａによって空気帰還路が構成されている。
【００１７】
符号２７は光源体を示し、光源体２７は空間２１、２２、２３にそれぞれ配置され、後壁（背板９側の内面）に取り付けられている。
熱交換室１１には冷却・加温手段としてのペルチェ素子２９が設けられている。また、また栽培室１２には温度センサー３０が備えられ、この温度センサー３０はペルチェ素子２９への通電を制御する図示しないコントローラに接続されている。
【００１８】
符号３１は送気管を示し、この送気管３１は三角筒状で、仕切り板１０の穴１０ｂ、載置板１７、１９の穴２５に貫入され、熱交換室１１に突出し、下端部は空間２１に入り込んでいる。
送気管３１の周面には多数の穴３１ａが形成され、送気管３１は穴３１ａを介して空間２１、２２、２３に連通している。また、送気管３１の上端部には、吸気ファン装置３３が取り付けられ、この吸気ファン装置３３は熱交換室１１に備えられている。
【００１９】
上記空気帰還路としての切り欠き２０、矩形の穴１０ａ、送気管３１及び吸気ファン装置３３によって空気還流手段が構成されている。
上記空気還流手段、熱交換室１１及び冷却・加温手段としてのペルチェ素子２９によって、温度調整手段が構成されている。
本体３の前面には開口３４が形成され、この開口３４は栽培室１２に対向している。また、本体３には観音開き式の開閉扉３５が設けられており、開閉扉３５は開口３４を閉鎖する状態と開放する状態に動作するようになっている。
【００２０】
符号３６は容器としての栽培箱を示し、この栽培箱３６は空間２１、２２、２３にそれぞれ備えられている。空間２１に備えられた栽培箱３６は底板４に載置され、空間２２、２３に備えられた栽培箱３６は載置板１７、１９にそれぞれ載置されている。
栽培箱３６には植物保持体としてのロックウール３７が収容されている（図５参照）。
【００２１】
次に、この家庭用の植物栽培装置１の使用方法について説明する。
栽培箱３６に収容されたロックウール３７に例えばハーブの種を播き、ロックウール３７には養液を注入して、開閉扉３５を開いて開口３４から栽培箱３６を栽培室１２に備える。
３つの栽培箱３６は底板４、載置板１７、１９にそれぞれ載置される。
【００２２】
栽培室１２内の温度を温度センサー３０が検知し、この検知結果はコントローラに伝達され、ペルチェ素子２９への通電が制御されて、熱交換室１１内の空気が所定温度となる。そして、吸気ファン装置３３が駆動することにより、熱交換室１１内の空気が吸引され、この空気は送気管３１を通り、穴３１ａから空間２３、２２、２１へ送られる。各空間２３、２２、２１へ送られた空気は、切り欠き２０、矩形の穴１０ａを通って、熱交換室１１へ戻り、再び所定の温度となってから、上記のようにして空間２３、２２、２１へ再び送られる。すなわち、熱交換室１１と栽培室１２の間で空気が循環させられる。これにより栽培室１２内の温度がハーブの生育に適切な値となるように保たれる。
また、光源体２７から照射される光により、ハーブＰは光合成を行い、生育する。
【００２３】
このように家庭用の植物栽培装置１は、植物保持体としてのロックウール３７によってハーブＰが保持されると共に、ロックウール３７に養液が含浸しているので、純粋な水耕栽培と比べて装置を簡易なものとできる。更にペルチェ素子２９を用いることで、冷却と加温に切り替えることが可能となり、冷却、加温を一つの装置で行うことができる。従って、家庭用の植物栽培装置１を小型化でき、一般の住宅でも置き場所に困ることのない適当なサイズ（幅７００ｍｍ×奥行き４５０ｍｍ×高さ１１００ｍｍ程度）の家庭用の植物栽培装置の提供することが可能となる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、植物保持体としてロックウールの代わりに、例えば、ピートモス（みずごけ）に、モンモリロナイト（ベントナイト）」をコーティングした人工土壌等を用いてもよい。
また、栽培箱３６に養液を自動的に供給する養液供給装置を備えてもよい。
なお、本発明の家庭用の植物栽培装置によって栽培する植物は、上記したハーブに限らず、レタス、ワサビ等、他の植物でもよいのは勿論である。
【産業上の利用可能性】
【００２５】
本発明の家庭用の植物栽培装置は、家庭用の植物栽培装置の製造業に利用することが可能である。
【符号の説明】
【００２６】
１…家庭用の植物栽培装置          ３…本体
４…底板                          ５…天板
７…左側板                        ８…右側板
９…背板                        １０…仕切り板
１０ａ…矩形の穴                  １０ｂ…三角形の穴
１１…熱交換室                    １２…栽培室
１３、１４、１５…支持部          １６…前板
１７、１９…載置板                ２０…切り欠き
２１、２２、２３…空間            ２５…三角形の穴
２７…光源体                      ２９…ペルチェ素子
３１…送気管                      ３１ａ…送気管の穴
３３…吸気ファン装置              ３４…開口
３５…開閉扉                      ３６…栽培箱
３７…ロックウール                ハーブ…Ｐ
【図１】
2012147730.tif 000003
【図２】
2012147730.tif 000004
【図３】
2012147730.tif 000005
【図４】
2012147730.tif 000006
【図５】
2012147730.tif 000007